(57)【特許請求の範囲】
【請求項１】
シャーシと、
前記シャーシの開口を覆い、前記シャーシに形成された複数のねじ止め部にねじ止め固定されたカバーとを有する光ディスク装置であって、
前記複数のねじ止め部が、補強リブによって補強された補強ねじ止め部と、前記補強ねじ止め部よりも剛性が低く変形可能なねじ止め部とを有していることを特徴とする光ディスク装置。
【請求項２】
前記ねじ止め部は少なくとも３箇所備えられており、前記変形可能なねじ止め部から見て対称となる位置に前記補強ねじ止め部が備えられている請求項１に記載の光ディスク装置。
【請求項３】
前記シャーシと前記カバーとは線膨張係数の異なる材料で形成されており、
前記変形可能なねじ止め部は、前記シャーシと前記カバーの線膨張による変形量の差が大きくなる場所に形成されている請求項１又は請求項２に記載の光ディスク装置。
【請求項４】
前記ねじ止め部のうち、前記変形可能なねじ止め部は光ディスクが挿入されるときの奥側に形成されており、前記補強ねじ止め部は前記光ディスクの挿入開口の近くに形成されている請求項１から請求項３のいずれかに記載の光ディスク装置。
【請求項５】
前記シャーシには、内部を囲むように縁部より立設された壁部を備えており、
前記複数のねじ止め部は前記壁部に一体的に形成されている請求項１から請求項４のいずれかに記載の光ディスク装置。
【発明の詳細な説明】
【技術分野】
【０００１】
本発明は、記録媒体である光ディスクに対して情報の読み取り及び／又は書き込みを行う光ディスク装置に関するものである。
【背景技術】
【０００２】
光ディスク装置は、記録媒体である光ディスクを内部に挿入し、前記光ディスクの情報記録面に光を照射することで、情報の読み取り及び（又は）書き込みを行う。光ディスク装置では、光を使って情報の読み取り及び（又は）書き込みを行うため、埃、塵等の異物が混入を抑制する必要がある。また、外部から入射する光も不具合の原因となる場合があるので、入射光の遮断も必要である。さらに、光ディスクを高速で回転させるため、モータの回転音も大きく、その音の遮蔽も必要である。
【０００３】
そこで、光ディスク装置のシャーシの開口をカバーで覆って密閉し、ディスクを回転させる駆動部や、光ディスクに光を照射する光ピックアップが配置されている前記シャーシ内部への塵、埃等の異物の混入や外部光の入射を抑制し、内部で発生する音が外部に漏れるのを抑制している。
【０００４】
従来の光ディスク装置について図面を参照して説明する。図５は従来の光ディスク装置の外観を示す平面図である。図５に示すように、従来の光ディスク装置Ｂは、シャーシ９１と、シャーシ９１の開口を覆い密閉するためのカバー９２とを備えている。シャーシ９１は平面視長方形状の部材であり、辺縁より立設され、シャーシ９１の内部を囲む壁部９１１を備えている。
【０００５】
カバー９２は、シャーシ９１に形成された４個のねじ止め部９１２にねじ止めすることで、シャーシ９１に固定されている。ねじ止め部９１２は壁部９１１と一体に形成されており、壁部９１１の剛性が高い四隅の近傍にそれぞれ１個ずつ形成されている。カバー９２は剛性の高いねじ止め部９１２にねじ止め固定され、シャーシ９１にしっかり押し付けられた状態で固定される。
【０００６】
これにより、シャーシ９１とカバー９２とが密着し、シャーシ９１とカバー９２との隙間から、塵、埃等の異物が混入したり、外部から光が入射したり、内部の騒音が外部に漏れたりするのを抑制することが可能である。また、カバー９２を取り付けることで、シャーシ９１（特に壁部９１１）を補強することになり、光ディスク装置Ｂ自体の剛性を上げることも可能である。
【０００７】
光ディスク装置において、製造誤差、組立誤差等の誤差によって、カバー９２のねじＳｃを貫通させる孔９２１とねじ止め部９１２とがずれてしまう場合がある。通常カバー９２の孔９２１はある程度の誤差を見越して、ねじＳｃの径よりも大きくねじの頭よりも小さい孔としたり、変形方向を想定して長孔とする等の対策を講じている。
【０００８】
しかしながら、誤差が想定より大きい場合や誤差の発生方向が想定しているものと異なる場合、ねじ止め部９１２と貫通孔９２１とを無理やり重ね、シャーシ９１及び（又は）カバー９２を固定すると、シャーシ９１及び（又は）カバー９２にひずみが生じ、ねじ止め部９１２及び（又は）貫通孔９２１の近傍に内部応力が発生する。上述したように、ねじ止め部９１２及びその近傍は剛性が高く変形しにくい。ねじ止め部９１２に作用した応力によって、シャーシ９１全体及び（又は）カバー９２に曲げ、ねじれ等の変形が発生してしまうことがある。
【０００９】
このように、無理にねじ止めすることで発生するシャーシ９１全体の変形を抑制するために、特開平１０−１３４５５４号公報に記載の記録再生装置では、シールドカバーとして剛性の低いものを採用し、前記シールドカバーを変形させ、前記シャーシの変形を抑制するものが採用されている。
【００１０】
また、特開平６−２８２９７４号公報、特開平７−６５５６７号公報に記載の発明では、それぞれ、ねじれが発生する部材を固定するときに、平面を決定する３点でねじ止めし、そのねじ止めの位置をうまく調整することで、部材同士のねじれを抑制するものが開示されている。
【先行技術文献】
【特許文献】
【００１１】
【特許文献１】特開平１０−１３４５５４号公報
【特許文献２】特開平６−２８２９７４号公報
【特許文献３】特開平７−６５５６７号公報
【発明の概要】
【発明が解決しようとする課題】
【００１２】
光ディスク装置において、カバー９２には、光ディスクをターンテーブルとの間で挟持するためのディスククランパ（不図示）が回転可能に取り付けられている。カバー９２が変形してしまうと、ターンテーブルとディスククランパによる光ディスクの挟持が不完全になる場合がある。その結果、光ディスクを安定して回転させるのが困難になり、情報の読み取り及び（又は）書き込みの精度が落ちたり、できなくなったりすることがあり、最悪の場合、光ディスクと光ピックアップが接触し、光ディスクが再生不能となったり、光ピックアップが破損してしまったりすることも考えられる。
【００１３】
また、２つの部材で線膨張係数が異なる場合、線膨張の差によってねじ止め部と貫通孔とがずれ、せん断力が発生する場合がある。このせん断力によって、シャーシ或いはカバーに曲げモーメント或いはねじりモーメントが作用する。このようにモーメントが作用すると、シャーシ及び（又は）カバーが変形し、光ディスクに対する情報の読み取り及び（又は）書き込みの精度が落ちたり、できなくなったりすることがある。
【００１４】
そこで本発明は、装置全体の変形を抑制し、情報の読み取り及び（又は）書き込みを正確に行うことができる光ディスク装置を提供することを目的とする。
【課題を解決するための手段】
【００１５】
上記目的を達成するために本発明は、シャーシと、前記シャーシの開口を覆い、前記シャーシに形成された複数のねじ止め部にねじ止め固定されたカバーとを有する光ディスク装置であって、前記複数のねじ止め部のうち少なくともひとつのねじ止め部が、他のねじ止め部に比べて剛性が低いねじ止め部であることを特徴とする。
【００１６】
この構成によると、少なくともひとつのねじ止め部が他のねじ止め部に比べて剛性が低くなるように形成されているので、誤差等でねじ止め部とカバーのねじが貫通する孔とがずれてしまっても、剛性が低いねじ止め部及び（又は）その近傍が変形することで、誤差を吸収してしまうので、前記シャーシ及び（又は）前記カバーがねじれたり、曲がったりする変形を抑制することが可能である。
【００１７】
前記シャーシ及び（又は）前記カバーの変形を抑制することで、前記シャーシと前記カバーとの間に隙間ができるのを防ぐことができ、塵、埃等の異物が混入したり、外部光が入射したり、内部で発生する騒音が外部に漏れたりする不具合を抑制することができる。
【００１８】
また、隙間ができないように前記カバーを前記シャーシに取り付けることができるので、前記シャーシ及び前記カバーの剛性を上げることが可能である。これにより、光ディスク装置の外部からの力が作用しても変形しにくく、光ディスクに対する情報の読み取り及び（又は）書き込みを安定して行うことが可能である。
【００１９】
上記構成において、前記ねじ止め部は少なくとも３箇所備えられており、前記他のねじ止め部に比べて剛性が低いねじ止め部から見て対称となる位置に残りのねじ止め部が備えられていてもよい。
【００２０】
この構成によると、剛性が低いねじ止め部が３個のねじ止め部を対称の中心に配置されるので、それぞれの誤差を吸収するように変形することが容易である。
【００２１】
上記構成において、前記シャーシと前記カバーとは線膨張係数の異なる材料で形成されており、前記他のねじ止め部よりも剛性が低いねじ止め部は、前記シャーシと前記カバーの線膨張による変形量の差が大きくなる場所に形成されていてもよい。
【００２２】
この構成によると、前記シャーシと前記カバーの熱による膨張量の差を剛性が低いねじ止め部が変形することで吸収できるので、前記シャーシ及び前記カバーがねじれたり、曲がったりする変形を抑制することができる。さらに、変形を抑制することで、前記シャーシと前記カバーの間に隙間が形成されるのを抑制することが可能である。
【００２３】
これにより、光ディスク装置を長時間駆動し、温度が上昇した状態であっても、光ディスクに対して情報の読み取り及び（又は）書き込みを安定して実施することが可能である。このことにより、光ディスク装置を長時間、安定して駆動させることが可能である。
【００２４】
上記構成において、前記ねじ止め部のうち、他のねじ止め部に比べて剛性が低いねじ止め部は光ディスクが挿入されるときの奥側に形成されており、残りのねじ止め部は前記光ディスクの挿入開口の近くに形成されていてもよい。
【００２５】
上記構成において、前記シャーシには、内部を囲むように縁部より立設された壁部を備えており、前記ねじ止め部は前記壁部に一体的に形成されていてもよい。
【発明の効果】
【００２６】
本発明によると、装置全体の変形を抑制し、情報の読み取り及び（又は）書き込みを正確に行うことができる光ディスク装置を提供することができる。
【図面の簡単な説明】
【００２７】
【図１】本発明にかかる光ディスク装置が備えられた機器の一例であるブルーレイレコーダの斜視図である。
【図２】本発明にかかる光ディスク装置のカバーを外した状態の平面図である。
【図３】図２に示す光ディスク装置にカバーを取り付けた状態の平面図である。
【図４】図３に示す光ディスク装置の断面図である。
【図５】従来の光ディスク装置の平面図である。
【発明を実施するための形態】
【００２８】
以下に本発明の実施形態を図面を参照して説明する。図１は本発明にかかる光ディスク装置が備えられた機器の一例であるブルーレイレコーダの斜視図である。図１に示すように、ブルーレイレコーダＢｒは、ケースＣａと、ケースＣａの正面に配置されたフロントカバーＦｃと、ケース内部に配置された光ディスク装置Ａと、フロントカバーＦｃに備えられ、光ディスクＤｓが載置されたディスクトレイ３が進入／退出する開口Ｏｐとを備えている。なお、図示を省略しているが、開口Ｏｐには光ディスクＤｓの挿入排出に合わせて開閉するドアが取り付けられている。
【００２９】
本発明の要部である光ディスク装置について図面を参照して説明する。図２は本発明にかかる光ディスク装置のカバーを外した状態の平面図であり、図３は図２に示す光ディスク装置にカバーを取り付けた状態の平面図であり、図４は図３に非メス光ディスク装置の断面図である。図２、図３、図４に示すように、光ディスク装置Ａは、筐体であるシャーシ１と、シャーシ１に取り付けられ内部に搬入された光ディスクに対して接近離間するトラバースシャーシ２と、光ディスクの搬入／搬出を行うディスクトレイ３と、シャーシ１の上面を覆うカバー４とを備えている。
【００３０】
シャーシ１は樹脂の一体成形体であり、平面視長方形状の本体の周縁部より本体を取り囲むように形成された壁部１０を備えている。壁部１０は側面部１０１の正面側（光ディスクが挿入される面側）及び背面側にシャーシ１をケースＣａ（図１参照）に固定するための固定部１００が計４個備えている。また、壁部１０の正面側の固定部１００の近傍に２箇所のねじ止め部１１、１１と、壁部１０の背面部１０２の中央に１箇所のねじ止め部１２とを備えている。ねじ止め部１１、１１はそれ自体リブで補強されているとともに、固定部１００に近接していることで固定部１００の補強リブによっても剛性が高められている。
【００３１】
トラバースシャーシ２には、光ディスクを載置するとともに、回転させるターンテーブル２１と、ターンテーブル２１に接近離間するようにトラバースシャーシ２に支持され、光ディスクに光を照射する光ピックアップ２２とを備えている。トラバースシャーシ２はディスクトレイ３が挿入され光ディスクが所定の位置に移動したときに、光ディスクに接近し、ディスクトレイ３が光ディスク装置から外部に排出されるとき光ディスクより離間するように移動する。
【００３２】
ディスクトレイ３は、光ディスクを載置するための凹部を備えており、中央部にはトラバースシャーシ２が接近しているときに、ターンテーブル２１が貫通する開口が形成されている。なお、トラバースシャーシ２の光ディスクへの接近離間とディスクトレイ３の挿入排出とは不図示の駆動機構、駆動力切替機構等を利用することで１個のモータで行われている。
【００３３】
カバー４は金属板を切り曲げて形成した部材である。図３、図４に示すように、カバー４はシャーシ１の上面を覆い、シャーシ１の内部に埃、塵等の異物が混入しないように、光ディスクの情報の読み取り又は書き込み時の騒音が外部に漏れるのを抑制するために、さらには、外部の光が光ディスク装置の内部に入射しないようにシャーシ１に密着して配置される。カバー４は、シャーシ１の上部に配置したときに、ねじ止め部１１、１１及びねじ止め部１２と対応する位置に、ねじ止め用の貫通孔４１、４２が形成されている。また、カバー４には、光ディスクＤｓのレーベル面を押えるクランパ４３が回動可能に支持されている。
【００３４】
まず、光ディスク装置の動作について説明する。ディスクトレイ３がシャーシ１の内部に移動し光ディスクＤｓが所定の位置に到達すると、トラバースシャーシ２が光ディスクＤｓに向かって接近する。このとき、トラバースシャーシ２に取り付けられているターンテーブル２１が光ディスクＤｓの情報記録面側から押し、光ディスクＤｓはディスクトレイ３より離れる。このとき、クランパ４３が情報記録面と反対側の面（レーベル面）と接触し、光ディスクＤｓはターンテーブル２１とクランパ４３とで挟持され、ディスクトレイ３から離脱する。この状態でターンテーブル２１が回転し、光ディスクＤｓはターンテーブル２１及びクランパ４３以外の部材と接触することなく回転する。そして、回転している光ディスクＤｓの情報記録面に光ピックアップ２２から光を照射することで情報の読み取り及び（又は）書き込みを行う。
【００３５】
光ディスク装置Ａでは、以上のようにして情報の読み取り及び（又は）書き込みを行うので、クランパ４３が不安定であったり、ずれていたりすると光ディスクＤｓの回転が不安定になり、情報の読み取り及び（又は）書き込みを失敗してしまうことがある。そのため、クランパ４３を安定して支持するために、カバー４は十分な剛性を有している、すなわち、カバー４は変形しにくい材料及び形状の部材である。
【００３６】
カバー４は貫通孔４１、４１及び貫通孔４２にねじＳｃを貫通させ、さらに、ねじＳｃをシャーシ１のねじ止め部１１、１１及びねじ止め部１２に螺合させることでシャーシ１に固定されている。ねじ止め部１１、１１は壁部１０の側面部１０１に形成されている。側面部１０１はシャーシ１の長手方向に延びる立壁であり、シャーシ１に長手方向の応力が作用しても、側面部１０１で応力が分散され、ねじ止め部１１、１１は変形、移動しにくい（剛性が高い）。また、ねじ止め部１１、１１は、光ディスク装置ＡをケースＣａ（図１参照）に固定するための固定部の近傍に形成されており、ねじ止め部１１、１１の周囲は壁部が厚く形成されているとともに、リブ等の補強がなされている。これにより、ねじ止め部１１、１１は長手方向以外の方向にも変形或いは移動しにくい構成となっている。
【００３７】
一方、ねじ止め部１２は壁部１０の背面部１０２のシャーシ１の短手方向の中央に形成されており、背面部１０２は補強がされておらず、ねじ止め部１２は剛性が低く、変形、移動しやすい（特にシャーシ１の長手方向）。
【００３８】
シャーシ１にカバー４を取り付ける場合、カバー４の貫通孔４１、４１をシャーシ１のねじ止め部１１、１１に、貫通孔４２をねじ止め部１２にそれぞれ重なるように、カバー４を壁部１０上に配置する。そして、貫通孔４１、４２がねじＳｃに貫通され、さらにねじＳｃをねじ止め部１１、１２に螺合させることで固定される。
【００３９】
貫通孔４１、４２はねじＳｃを貫通させる孔であり、シャーシ１及び（又は）カバー４のある程度の製造誤差を想定して、ねじＳｃの径よりも大きく形成されている。シャーシ１及び（又は）カバー４の誤差が想定よりも大きいと、貫通孔とねじ止め部が正確に重ならずねじ止めが困難になる。かばー４の貫通孔４１、４２とねじ止め部１１、１２とをねじＳｃで無理にねじ止めした場合であっても、剛性が低いねじ止め部１２が変形或いは移動する。これにより、誤差によってシャーシ１及び（又は）カバー４に作用する応力をねじ止め部１２の変形及び（又は）移動で吸収することができる。
【００４０】
また、ねじ止め部１２の剛性が低いので移動／変形させてもその他の部分に作用する応力が小さく、シャーシ１のねじ止め部１２以外の部分やカバー４が変形するのを抑制することが可能である。
【００４１】
次に、光ディスク装置の熱による膨張量の差による応力について説明する。光ディスク装置Ａの内部は光ディスクＤｓを載置したターンテーブル２１を高速回転させるためのモータ（不図示）や、光ディスクＤｓに照射される光を発するための光源等の複数の発熱源を備えている。これらの発熱源は光ディスクに対して情報の読み取り及び（又は）情報の書き込みを行うとき、略同時に駆動されており、一度に発熱し、光ディスク装置Ａの内部は高温に達する。
【００４２】
これら発熱源より発生した熱は、シャーシ１及びカバー４に伝播し、シャーシ１及びカバー４は熱によって膨張する。上述したように、シャーシ１は樹脂、カバー４は金属と異なる材料で形成されており、線膨張による変形量が異なる。また、光ディスク装置Ａは長方形状に形成されているので、その変形量は、短手方向に比べて長手方向が大きくなる。
【００４３】
すなわち、組立時において、製造或いは組立等の誤差によるねじ止め部１１、１１と貫通孔４１、４１及びねじ止め部１２よ貫通孔４２とのずれが許容範囲であったとしても、駆動時の熱による線膨張量の差によって、シャーシ１及びカバー４に曲げ、ねじれ等の変形が生じる可能性がある。
【００４４】
シャーシ１はねじ止め部１２を剛性が低く形成しているので、シャーシ１とカバー４とで熱による膨張量の差が発生した場合であっても、ねじ止め部１２が変形・移動し、膨張量の差を吸収する。これにより、シャーシ１とカバー４の熱による膨張量の差によってシャーシ１及びカバー４が変形してしまい、シャーシ１とカバー４との間に隙間ができてしまったり、クランパ４３とターンテーブル２１による光ディスクＤｓの挟持が不安定になったりするのを抑制することができる。
【００４５】
なお、ねじ止め部１２は壁部１０の背面１０２の中間部に形成されているが、それに限定されるものではなく、シャーシ１の熱膨張による変形が大きくなる方向の強度が他の部分に比べて弱い部分に形成されていればよい。しかしながら、ねじ止め部１１、１１がねじ止め部１２に対して対称となるように形成されていることで、変形の差によるねじれ等も抑制することが可能となる。よって、ねじ止め部１１、１１がねじ止め部１２に対称となるように形成されていることが好ましい。
【００４６】
このように、カバーをシャーシ３本のねじを用いて固定する場合、３本中少なくとも１本を螺合するねじ止め部を変形しやすく形成することで、カバーとシャーシとの誤差によるずれ或いは熱による変形量の差を吸収することができる。これにより、カバー及び（又は）シャーシが反ったり(曲がったり)、ねじれたりするのを抑制することができ、光ディスクに対する情報の読み取り及び（又は）書き込みの精度が低下するのを抑制することができる。
【００４７】
上記実施形態の光ディスク装置では、カバーを３本のねじを用いて固定しているが、それに限定されるものではない。４本或いはそれ以上のねじで固定する場合、１本又は２本のねじは剛性の高い（変形、移動しにくい）ねじ止め部に固定され、残りのねじは剛性の低い（変形、移動しやすい）ねじ止め部に固定されるように構成することで、シャーシ及びカバーの変形を抑制することが可能である。しかしながら、平面を構成する点の最小数が３点であることより、３点で固定するものが平面的にねじれにくく、また、安定して固定できるので、３点が好ましい。このとき、ねじれの発生を抑えるため、剛性の低いねじ止め部から見て剛性の高いねじ止め部が対称となる位置に形成されていることが好ましい。
【００４８】
なお、上記実施形態において、光ディスク装置として、光ディスクをディスクトレイで搬入／搬出するトレーローディング式の光ディスク装置を参照して説明しているが、光ディスクのみが搬入／搬出されるダイレクトローディング式の光ディスク装置にも採用することが可能である。さらに、これらに限定されるものではなく、異なる線膨張係数の材料で作製されたシャーシとカバーとを有する光ディスク装置に広く採用することが可能である。
【産業上の利用可能性】
【００４９】
本発明は、カバーをシャーシにねじ止めすることで固定する光ディスク装置に利用することができる。
【符号の説明】
【００５０】
１  シャーシ
１０  壁部
１００  固定部
１０１  側面部
１０２  背面部
２  トラバースシャーシ
２１  ターンテーブル
２２  光ピックアップ
３  ディスクトレイ
４  カバー
４１  貫通孔
４２  貫通孔
４３  クランパ
【図１】
0005609100.tif 000002
【図２】
0005609100.tif 000003
【図３】
0005609100.tif 000004
【図４】
0005609100.tif 000005
【図５】
0005609100.tif 000006